(57)【特許請求の範囲】
【請求項１】
組電池を構成する複数のセル間の容量調整を行う組電池の容量調整装置において、
前記組電池を構成する各セルは、該セルの電圧を駆動源として作動する複数の電流消費機器のうちのいずれか一つと電気的に接続されており、
前記容量調整装置は、
各セル間の容量バラツキ量を検出する容量バラツキ量検出手段と、
前記容量バラツキ量検出手段によって検出される容量バラツキ量に基づいて、各セルごとの放電量を算出する放電量算出手段と、
前記複数の電流消費機器の消費電流の差に基づいて、前記放電量算出手段によって算出された放電量を補正する放電量補正手段と、
前記放電量算出手段によって算出された放電量、および、前記放電量補正手段によって補正された放電量に基づいて、各セルの放電を行う放電手段と、を備え、
前記放電量補正手段は、消費電流が最も小さい電流消費機器を基準として、消費電流の大きい電流消費機器の電圧源となっているセルの放電量が小さくなるように、前記放電量算出手段によって算出された放電量を補正することを特徴とする組電池の容量調整装置。
【請求項２】
請求項１に記載の組電池の容量調整装置において、
前記放電手段による放電が終了してからの経過時間に基づいて、消費電流が最も大きい電流消費機器を基準として、消費電流の小さい電流消費機器の消費電流の差を積算する消費電流差積算手段をさらに備え、
前記放電手段は、消費電流の小さい電流消費機器の電圧源となっているセルを対象として、所定時間ごとに、前記消費電流差積算手段によって積算された消費電流差に基づいた放電を行うことを特徴とする組電池の容量調整装置。
【請求項３】
請求項１または２に記載の組電池の容量調整装置において、
前記放電手段による放電が終了してからの経過時間に基づいて、消費電流が最も大きい電流消費機器を基準として、消費電流の小さい電流消費機器の消費電流の差を積算する消費電流差積算手段をさらに備え、
前記放電手段は、消費電流の小さい電流消費機器の電圧源となっているセルを対象として、前記消費電流差積算手段によって積算された消費電流差が所定値に達する度に、前記消費電流差積算手段によって積算された消費電流差に基づいた放電を行うことを特徴とする組電池の容量調整装置。
【発明の詳細な説明】
【技術分野】
【０００１】
本発明は、組電池を構成する複数のセル間の容量調整を行う装置に関する。
【背景技術】
【０００２】
従来、組電池を構成する複数のセルごとに放電回路を設け、各セル間の容量バラツキ量に基づいて、各セルごとに放電回路の動作を制御して、各セル間の容量を均一にする容量調整装置が知られている（特許文献１参照）。この容量調整装置では、所定数のセルの電圧を電源として駆動するセルコントローラによって、対応するセルの充放電が制御される。
【０００３】
【特許文献１】特開平１０−３２２９２５号公報
【発明の開示】
【発明が解決しようとする課題】
【０００４】
しかしながら、従来の容量調整装置において、各セルコントローラ間の消費電流が異なる場合には、容量調整終了後も、セルコントローラ間の消費電流の差に起因して、各セル間の容量が均一にならないという問題があった。
【課題を解決するための手段】
【０００５】
本発明による組電池の容量調整装置は、各セル間の容量バラツキ量を検出する容量バラツキ量検出手段と、前記容量バラツキ量検出手段によって検出される容量バラツキ量に基づいて、各セルごとの放電量を算出する放電量算出手段と、前記複数の電流消費機器の消費電流の差に基づいて、前記放電量算出手段によって算出された放電量を補正する放電量補正手段と、前記放電量算出手段によって算出された放電量、および、前記放電量補正手段によって補正された放電量に基づいて、各セルの放電を行う放電手段と、を備え、前記放電量補正手段は、消費電流が最も小さい電流消費機器を基準として、消費電流の大きい電流消費機器の電圧源となっているセルの放電量が小さくなるように、前記放電量算出手段によって算出された放電量を補正することを特徴とする。
【発明の効果】
【０００６】
本発明による組電池の容量調整装置によれば、特定のセルの電圧を電圧源として作動する複数の電流消費機器の消費電流の差を考慮して、容量調整後のセル間の容量を均一にすることができる。
【発明を実施するための最良の形態】
【０００７】
−第１の実施の形態−
図１は、第１の実施の形態における組電池の容量調整装置の構成を示す図である。この組電池の容量調整装置は、例えば、ハイブリッド自動車に搭載されて使用される。組電池１００は、例えば、リチウムイオン電池であり、充放電可能なｎ（ｎ：自然数）個のセルＣ１〜Ｃｎを直列に接続して構成されている。各セルＣ１〜Ｃｎは４個ずつにまとめられて、モジュールＭ１，Ｍ２，…，Ｍｔを構成する。
【０００８】
モジュールＭ１，Ｍ２，…，Ｍｔごとに設けられているセルコントローラＣＣ１，ＣＣ２，…，ＣＣｔは、対応するモジュール内のセルの電圧を駆動電源として、モジュールごとに、セルを管理する。例えば、セルコントローラＣＣ１は、モジュールＭ１に含まれる４個のセルＣ１〜Ｃ４の電圧を駆動電源として、各セルＣ１〜Ｃ４の充放電を制御する。各セルコントローラＣＣ１〜ＣＣｔは、直列に接続されており、隣り合うセルコントローラとの間で通信を行う。
【０００９】
バッテリコントローラ１０は、ＣＰＵ１０ａ、メモリ１０ｂおよびタイマ１０ｃを備え、各セルコントローラＣＣ１〜ＣＣｔを制御して、組電池１００を管理する。バッテリコントローラ１０の送信端子ＴＸは、絶縁素子を介して、セルコントローラＣＣ１の受信端子ＲＸと接続されており、バッテリコントローラ１０の受信端子ＲＸは、絶縁素子を介して、セルコントローラＣＣｔの送信端子ＴＸと接続されている。すなわち、バッテリコントローラ１０は、セルコントローラＣＣ１およびＣＣｔとの間で、通信を行う。
【００１０】
図２は、セルコントローラの詳細な回路構成を示す図である。ここでは、セルコントローラＣＣ１およびＣＣ２を取り上げて説明する。セルコントローラＣＣ１は、ＩＣ１１と、Ａ／Ｄコンバータ１２と、フォトカプラ１３と、抵抗器Ｒ１〜Ｒ４と、スイッチＳ１〜Ｓ４とを備えている。
【００１１】
Ａ／Ｄコンバータ１２は、各セルＣ１〜Ｃ４の端子間電圧をデジタル信号に変換して、ＩＣ１１に送信する。フォトカプラ１３は、セルＣ１〜Ｃ４を電圧駆動源としており、セルコントローラＣＣ１とバッテリコントローラ１０との間を電気的に絶縁する。
【００１２】
各セルＣ１〜Ｃ４にはそれぞれ、抵抗器とスイッチの直列回路が並列に接続されている。抵抗器とスイッチからなる直列回路は、それぞれのセルの容量調整回路であり、例えば、抵抗器Ｒ１およびスイッチＳ１からなる直列回路は、セルＣ１の容量調整回路を構成する。各抵抗器Ｒ１〜Ｒ４を介して、対応するセルＣ１〜Ｃ４の充電電荷を放電することによって、各セルの充電容量を調整することができる。スイッチＳ１〜Ｓ４はそれぞれ、ＩＣ１１により開閉が制御される。例えば、スイッチＳ１が閉じられると、抵抗器Ｒ１を介してセルＣ１の放電が行われる。
【００１３】
各抵抗器Ｒ１〜Ｒ４、および、後述する抵抗器Ｒ５〜Ｒ８の抵抗値は同一であり、例えば、２００Ωとする。各セルの容量調整量（放電量）は、対応して設けられているスイッチの閉路時間に依存し、スイッチの開閉時間をコントロールすることにより、容量調整量を制御する。
【００１４】
なお、図には示していないが、セルコントローラＣＣｔの構成も、セルコントローラＣＣ１の構成と同様である。
【００１５】
セルコントローラＣＣ２は、ＩＣ２１と、Ａ／Ｄコンバータ２２と、オフセット回路２３と、抵抗器Ｒ５〜Ｒ８と、スイッチＳ５〜８とを備えている。Ａ／Ｄコンバータ２２は、各セルＣ５〜Ｃ８の端子間電圧をデジタル信号に変換して、ＩＣ２１に送信する。ＩＣ２１は、オフセット回路２３を介して、セルコントローラＣＣ１との間で通信を行うとともに、図示しないセルコントローラＣＣ３が備えるオフセット回路を介して、セルコントローラＣＣ３との間で通信を行う。
【００１６】
各抵抗器Ｒ５〜Ｒ８およびスイッチＳ５〜Ｓ８は、セルコントローラＣＣ１に設けられている抵抗器Ｒ１〜Ｒ４およびスイッチＳ１〜Ｓ４と同様に、容量調整回路を構成している。スイッチＲ５〜Ｒ８の開閉は、ＩＣ２１によって制御される。
【００１７】
なお、図には示していないが、セルコントローラＣＣ３〜ＣＣt-1の構成も、セルコントローラＣＣ２の構成と同様である。
【００１８】
図３および図４は、第１の実施の形態における組電池の容量調整装置によって行われる処理内容を示すフローチャートである。バッテリコントローラ１０は、車両が起動して、自身の電源がオンされると、ステップＳ１０の処理を開始する。
【００１９】
ステップ１０では、無負荷時のセル電圧を取得する。各セルコントローラＣＣ１〜ＣＣｔは、組電池１００が無負荷状態の時に、管理している各セルの電圧を検出する。検出したセル電圧は、隣接しているセルコントローラに順次送信され、最終的に、セルコントローラＣＣｔを介して、バッテリコントローラ１０に送信される。
【００２０】
ステップＳ１０に続くステップＳ２０では、ステップＳ１０で取得した各セルの無負荷時電圧に基づいて、セル間の容量を均一にするための容量調整時間（放電時間）を、各セルごとに算出する。図５は、セルの無負荷時電圧（開放電圧）と、ＳＯＣ［％］および充電量［Ａｈ］との関係を示す図である。バッテリコントローラ１０のメモリ１０ｂには、図５に示すようなセル電圧−充電量テーブルが予め記憶されており、ステップＳ１０で取得したセル電圧と、メモリに記憶されているセル電圧−充電量テーブルとに基づいて、各セルの充電量［Ａｈ］をまず求める。
【００２１】
続いて、各セルの充電量と、充電量が最も小さいセルの充電量との差を求め、求めた充電量の差に基づいて、容量調整時間を求める。例えば、セルＣｋ（ｋ＝１〜ｎ）の容量調整時間Ｔｋ（ｋ＝１〜ｎ）は、求めた充電量の差と、容量調整時のバイパス電流Ｉｋ（ｋ＝１〜ｎ）とに基づいて、次式（１）から求める。ただし、容量調整時（放電時）のバイパス電流Ｉｋは、容量調整回路を構成している抵抗器Ｒｋの抵抗値、および、セルＣｋの電圧値に基づいて算出する。
Ｔｋ＝充電量の差／バイパス電流Ｉｋ                      （１）
【００２２】
ステップＳ２０に続くステップＳ３０では、消費電流の大きいセルコントローラが管理するセルの容量調整時間を補正する。図１および図２に示す回路構成では、セルコントローラＣＣ１およびＣＣｔは、フォトカプラを介して、バッテリコントローラ１０と通信を行っているが、各セルコントローラ間では、オフセット回路を介して通信が行われる。上述したように、フォトカプラの駆動電源を、セルコントローラが管理しているセルの電圧としているため、フォトカプラが設けられているセルコントローラＣＣ１およびＣＣｔの消費電流は、フォトカプラが設けられていないセルコントローラＣＣ２〜ＣＣt-1の消費電流よりも多くなる。
【００２３】
セルコントローラ間の消費電流の差は、セルコントローラを構成する回路素子（フォトカプラ）の特性によって決まるので、各セルコントローラの設計値に基づいて、予め消費電流の差を求めておいて、バッテリコントローラ１０のメモリ１０ｂに記憶させておく。ステップＳ３０では、メモリ１０ｂに記憶されている消費電流の差のデータを用いて、次式（２）より、セルコントローラＣＣ１およびＣＣｔの容量調整時間を補正する。
補正後の容量調整時間＝充電量の差／（バイパス電流＋消費電流の差）        （２）
【００２４】
すなわち、ステップＳ３０では、セルコントローラＣＣ２〜ＣＣt-1と比べて、消費電流が多いセルコントローラＣＣ１およびＣＣｔの容量調整時間が短くなるように、容量調整時間を補正している。消費電流が多いセルコントローラＣＣ１およびＣＣｔの容量調整時間を補正すると、ステップＳ４０に進む。
【００２５】
ステップＳ４０では、複数のセルＣ１〜Ｃｎのうち、少なくとも１つのセルの容量調整時間が０より大きいか否かを判定する。少なくとも１つのセルの容量調整時間が０より大きいと判定すると、ステップＳ５０に進む。ステップＳ５０では、容量調整時間が０より大きいセル、すなわち、容量調整を行うセルに対応して設けられているスイッチをオンする旨の指示信号をセルコントローラＣＣ１に送信する。この指示信号は、セルコントローラＣＣ１から、順次、隣接するセルコントローラを介して、セルコントローラＣＣｔまで送信される。
【００２６】
バッテリコントローラ１０から出力される指示信号を受信した各セルコントローラＣＣ１〜ＣＣｔは、指示信号に基づいて、容量調整時間が０より大きいセルに対応して設けられているスイッチをオンする。スイッチがオンされることにより、対応するセルの放電が開始される。
【００２７】
ステップＳ５０に続くステップＳ６０では、いずれかのセルにおいて、容量調整時間が経過したか否かを判定する。各セルコントローラＣＣ１〜ＣＣｔは、管理している各セルを対象として、容量調整時間が経過したか否か、すなわち、容量調整が終了したか否かを監視している。従って、管理しているセルのうち、容量調整時間が経過したセルがあれば、その旨の信号をバッテリコントローラ１０に送信する。バッテリコントローラ１０は、容量調整時間を経過したセルがないと判定すると、ステップＳ４０に戻り、容量調整時間を経過したセルが存在すると判定すると、ステップＳ７０に進む。
【００２８】
ステップＳ７０では、容量調整時間を経過したセルに対応して設けられているスイッチをオフする旨の指示信号をセルコントローラＣＣ１に送信する。この指示信号は、セルコントローラＣＣ１から、順次、隣接するセルコントローラを介して、セルコントローラＣＣｔまで送信される。指示信号を受信した各セルコントローラＣＣ１〜ＣＣｔは、指示信号に基づいて、容量調整時間を経過したセルに対応して設けられているスイッチをオフする。ステップＳ７０の処理を終了すると、ステップＳ４０に戻る。
【００２９】
一方、ステップＳ４０において、全てのセルの容量調整時間が０であると判定されると、全てのセルの容量調整が終了したと判定して、図４に示すフローチャートのステップＳ８０に進む。ステップＳ８０では、タイマ１０ｃをスタートさせて、ステップＳ９０に進む。ステップＳ９０では、消費電流の差の積算値を求めるために用いるカウント値Ｖを１だけカウントアップして、ステップＳ１００に進む。なお、カウント値Ｖの初期値は０である。
【００３０】
ステップＳ１００では、次式（３）に基づいて、消費電流の差の積算値Ｗを求める。
Ｗ＝消費電流の差×Δｔ×カウント値Ｖ        （３）
ただし、Δｔは、バッテリコントローラ１０の演算周期である。
【００３１】
ステップＳ１００に続くステップＳ１１０では、タイマ１０ｃによって計測されている時間が所定時間Ｔｓ（例えば、１０分）を経過したか否かを判定する。所定時間Ｔｓを経過していないと判定するとステップＳ１４０に進み、所定時間Ｔｓを経過したと判定すると、ステップＳ１２０に進む。
【００３２】
ステップＳ１２０では、消費電流の小さいセルコントローラ、すなわち、セルコントローラＣＣ２〜ＣＣt-1が管理するセルの容量調整時間Ｔｂを算出する。容量調整時間Ｔｂは、次式（４）に基づいて算出する。
Ｔｂ＝Ｗ／バイパス電流                  （４）
ただし、Ｗは、ステップＳ１００で算出する消費電流の差の積算値である。また、バイパス電流は、容量調整を行うセルの容量調整時の放電電流であり、容量調整回路を構成している抵抗器の抵抗値、および、セルの電圧値に基づいて算出する。
【００３３】
ステップＳ１２０に続くステップＳ１３０では、カウント値Ｖを０にリセットするとともに、タイマ１０ｃのタイマ値を０にリセットしてから再スタートさせて、ステップＳ１４０に進む。ステップＳ１４０の処理は、ステップＳ４０の処理と同じである。すなわち、複数のセルＣ１〜Ｃｎのうち、少なくとも１つのセルの容量調整時間が０より大きいか否かを判定する。全てのセルの容量調整時間が０であると判定するとステップＳ９０に戻り、少なくとも１つのセルの容量調整時間が０より大きいと判定すると、ステップＳ１５０に進む。
【００３４】
ステップＳ１５０の処理は、ステップＳ５０の処理と同じである。すなわち、容量調整時間が０より大きいセル、換言すると、容量調整を行うセルに対応して設けられているスイッチをオンする旨の指示信号をセルコントローラＣＣ１に送信する。この指示信号は、セルコントローラＣＣ１から、順次、隣接するセルコントローラを介して、セルコントローラＣＣｔまで送信される。バッテリコントローラ１０から出力される指示信号を受信した各セルコントローラＣＣ１〜ＣＣｔは、指示信号に基づいて、容量調整時間が０より大きいセルに対応して設けられているスイッチをオンする。
【００３５】
ステップＳ１５０に続くステップＳ１６０の処理は、ステップＳ６０の処理と同じである。すなわち、いずれかのセルにおいて、容量調整時間が経過したか否かを判定する。容量調整時間を経過したセルがないと判定すると、ステップＳ９０に戻り、容量調整時間を経過したセルが存在すると判定すると、ステップＳ１７０に進む。
【００３６】
ステップＳ１７０の処理は、ステップＳ７０の処理と同じである。すなわち、容量調整時間を経過したセルに対応して設けられているスイッチをオフする旨の指示信号をセルコントローラＣＣ１に送信する。この指示信号は、セルコントローラＣＣ１から、順次、隣接するセルコントローラを介して、セルコントローラＣＣｔまで送信される。指示信号を受信した各セルコントローラＣＣ１〜ＣＣｔは、指示信号に基づいて、容量調整時間を経過したセルに対応して設けられているスイッチをオフする。容量調整時間を経過したセルに対応して設けられているスイッチをオフすると、ステップＳ９０に戻る。
【００３７】
上述した図３および図４に示すフローチャートの処理のうち、図３に示すフローチャートの処理は、セルコントローラ間の消費電流の差を考慮して、各セル間の容量バラツキを調整する処理である。一方、図４に示すフローチャートの処理は、セル間の容量調整終了後でも、セルコントローラ間の消費電流の差に起因して、セル間の容量にバラツキが生じるため、この容量バラツキを所定時間ごとに調整する処理である。
【００３８】
第１の実施の形態における組電池の容量調整装置によれば、組電池１００を構成する複数のセル間の容量バラツキを検出し、検出した容量バラツキと、特定のセルの電圧を電圧源として作動するセルコントローラ間の消費電流の差とに基づいて、各セルの放電を行うので、セルコントローラ間の消費電流の差を考慮した容量調整を行うことができる。すなわち、セルコントローラ間で消費電流が異なる場合でも、容量調整後の各セルの容量を均一にすることができる。
【００３９】
また、第１の実施の形態における組電池の容量調整装置によれば、セル間の容量バラツキ量に基づいて、各セルごとの放電量を算出し、セルコントローラ間の消費電流の差に基づいて、放電量を補正するので、容量調整後の各セルの容量を正確に均一にすることができる。特に、第１の実施の形態における組電池の容量調整装置によれば、消費電流が最も小さいセルコントローラＣＣ２〜ＣＣt-1を基準として、消費電流の大きいセルコントローラＣＣ１，ＣＣｔの電圧源となっているセルの放電量が小さくなるように、放電量を補正するので、消費電流の小さいセルコントローラの電圧源となっているセルの放電量が大きくなるように、放電量を補正する場合に比べて、無駄な放電を抑制することができる。
【００４０】
また、第１の実施の形態における組電池の容量調整装置によれば、セル間の容量調整が終了した後に、所定時間ごとに、消費電流の小さいセルコントローラの電圧源となっているセルを対象として、消費電流の差に基づいた放電を行うので、セルコントローラ間の消費電流の差に起因して生じるセル間の容量バラツキを、所定時間ごとに解消することができる。
【００４１】
−第２の実施の形態−
第１の実施の形態における組電池の容量調整装置では、図３に示すフローチャートのステップＳ３０において、消費電流の大きいセルコントローラが管理するセルの容量調整時間を補正した。第２の実施の形態における組電池の容量調整装置では、消費電流の小さいセルコントローラが管理するセルの容量調整時間を補正する。
【００４２】
図６は、第２の実施の形態における組電池の容量調整装置によって行われる処理を示すフローチャートであり、図３に示すフローチャートと対応している。図６に示すフローチャートが図３に示すフローチャートと異なるのは、ステップＳ３０に対応するステップＳ２００の処理である。従って、以下では、ステップＳ２００の処理のみについて説明する。
【００４３】
ステップＳ２００では、消費電流の小さいセルコントローラが管理するセル、すなわち、セルコントローラＣＣ２〜ＣＣt-1が管理しているセルの容量調整時間を補正する。ここでは、次式（５）に基づいて、セルコントローラＣＣ２〜ＣＣt-1の容量調整時間を補正する。補正後の容量調整時間＝充電量の差／（バイパス電流−消費電流の差）      （５）
【００４４】
すなわち、ステップＳ２００では、セルコントローラＣＣ１，ＣＣｔと比べて、消費電流が少ないセルコントローラＣＣ２〜ＣＣt-1の容量調整時間が長くなるような補正を行っている。消費電流が少ないセルコントローラＣＣ２〜ＣＣt-1の容量調整時間を補正すると、ステップＳ４０に進む。ステップＳ４０以後の処理は、図３および図４に示すフローチャートの処理と同じである。
【００４５】
第２の実施の形態における組電池の容量調整装置によれば、消費電流が最も大きいセルコントローラＣＣ１，ＣＣｔを基準として、消費電流の小さいセルコントローラＣＣ２〜ＣＣt-1の電圧源となっているセルの放電量が大きくなるように、放電量を補正するので、容量調整後の各セルの容量を均一にすることができる。
【００４６】
−第３の実施の形態−
第１および第２の実施の形態における組電池の容量調整装置では、セルコントローラ間の消費電流の差に基づいて、各セルの容量調整時間を補正することにより、各セルの容量が均一になるような容量調整を行った。第３の実施の形態における組電池の容量調整装置では、消費電流の小さいセルコントローラが管理しているセルに対して、消費電流差補正回路（抵抗器）を別途設けることにより、セルコントローラ間の消費電流の差を解消する。
【００４７】
図７は、第３の実施の形態における組電池の容量調整装置において、セルコントローラＣＣ１およびＣＣｔと比べて消費電流の小さいセルコントローラＣＣ２の回路構成を示す図である。なお、図示しないが、セルコントローラＣＣ３〜ＣＣt-1の回路構成も同様である。
【００４８】
図７に示すように、セルＣ５の正極と、セルＣ８の負極との間には、スイッチ２０および抵抗器３０が設けられている。抵抗器３０の抵抗値は、セルコントローラＣＣ１またはＣＣｔとの消費電流差を補正するための値に設定されており、スイッチ２０がオンされると、セルコントローラＣＣ１またはＣＣｔとの消費電流差と同等の電流が、抵抗器３０を介して流れる。
【００４９】
セルコントローラＣＣ２〜ＣＣt-1は、各セルの容量調整を行っている間は、スイッチ２０をオンする。これにより、セルコントローラ間の消費電流差が解消されるので、容量調整後のセル間の容量を均一に保つことができる。
【００５０】
第３の実施の形態における組電池の容量調整装置によれば、各セル間の容量バラツキ量に基づいて各セルごとの放電量を算出し、算出した放電量に基づいて、各セルの放電を行うとともに、消費電流が最も大きいセルコントローラＣＣ１，ＣＣｔを基準として、消費電流の小さいセルコントローラＣＣ２〜ＣＣt-1の電圧源となっているセルを対象として、抵抗器３０を介して、消費電流の差に基づいた放電を行う。これにより、セルコントローラ間の消費電流が異なる場合でも、容量調整後の各セルの容量を均一にすることができる。
【００５１】
本発明は、上述した各実施の形態に限定されることはない。例えば、特定のセルの電圧を電圧源として作動する電流消費機器の一例として、各モジュールごとに設けられているセルコントローラを挙げたが、セルコントローラ以外の機器であってもよい。
【００５２】
上述した各実施の形態では、セルコントローラＣＣ１およびＣＣｔの消費電流が大きく、セルコントローラＣＣ２〜ＣＣt-1の消費電流が小さいものとして説明したが、全てのセルコントローラ間の消費電流が異なっていてもよい。この場合、第１の実施の形態における組電池の容量調整装置では、消費電流が最も小さいセルコントローラを基準として、消費電流の大きいセルコントローラの電圧源となっているセルの放電量が小さくなるように、放電量を補正すればよい。また、第２の実施の形態における組電池の容量調整装置では、消費電流が最も大きいセルコントローラを基準として、消費電流の大きいセルコントローラの電圧源となっているセルの放電量が小さくなるように、放電量を補正すればよい。
【００５３】
図３に示すフローチャートのステップＳ１０では、車両の起動時に、組電池１００が無負荷の状態において、各セル電圧を検出したが、車両の走行時において、組電池の充放電電流が低電流の時のセル電圧を検出するようにしてもよい。すなわち、ステップＳ１０では、組電池１００が無負荷状態であるとみなせる時のセル電圧を検出すればよい。
【００５４】
第１および第２の実施の形態では、容量調整が終了した後に、所定時間ごとに、消費電流の小さいセルコントローラの電圧源となっているセルを対象として、消費電流の差に基づいた放電を行うようにした。しかし、消費電流の差の積算値が所定値に達する度に、消費電流の差に基づいた放電を行うようにしてもよいし、所定のタイミングで、消費電流の差に基づいた放電を行うようにしてもよい。
【００５５】
第３の実施の形態では、セルコントローラ間の消費電流の差を解消するために、消費電流の小さいセルコントローラの電圧源となっているセルの放電を行うための抵抗器３０を別途設けた。しかし、放電を行うことができるものであれば、抵抗器に限られず、他の電流消費回路を設けても良い。
【００５６】
特許請求の範囲の構成要素と第１〜第３の実施の形態の構成要素との対応関係は次の通りである。すなわち、セルコントローラＣＣ１〜ＣＣｔおよびバッテリコントローラ１０が容量バラツキ量検出手段を、バッテリコントローラ１０が放電量算出手段、放電量補正手段および消費電流差積算手段を、抵抗器Ｒ１〜Ｒｎが放電手段をそれぞれ構成する。なお、以上の説明はあくまで一例であり、発明を解釈する上で、上記の実施形態の構成要素と本発明の構成要素との対応関係に何ら限定されるものではない。
【図面の簡単な説明】
【００５７】
【図１】第１の実施の形態における組電池の容量調整装置の構成を示す図
【図２】セルコントローラの詳細な回路構成を示す図
【図３】第１の実施の形態における組電池の容量調整装置によって行われる処理内容を示すフローチャート
【図４】図３に示すフローチャートの処理に続く処理内容を示すフローチャート
【図５】セルの無負荷時電圧（開放電圧）と、ＳＯＣ（％）および充電量（Ａｈ）との関係を示す図
【図６】第２の実施の形態における組電池の容量調整装置によって行われる処理を示すフローチャート
【図７】第３の実施の形態における組電池の容量調整装置において、セルコントローラＣＣ１およびＣＣｔと比べて消費電流の小さいセルコントローラＣＣ２の回路構成を示す図
【符号の説明】
【００５８】
１０…バッテリコントローラ、１１…ＩＣ、１２…Ａ／Ｄコンバータ、１３…フォトカプラ、２０…スイッチ、３０…抵抗器、Ｒ１〜Ｒｎ…抵抗器、Ｓ１〜Ｓｎ…スイッチ、１００…組電池、Ｃ１〜Ｃｎ…セル、Ｍ１〜Ｍｔ…モジュール、ＣＣ１〜ＣＣｔ…セルコントローラ
【図１】
0004770522.tif 000002
【図２】
0004770522.tif 000003
【図３】
0004770522.tif 000004
【図４】
0004770522.tif 000005
【図５】
0004770522.tif 000006
【図６】
0004770522.tif 000007
【図７】
0004770522.tif 000008